(57)【要約】【課題】部品点数を少なくすると共にコネクタと光ファイバコードの確実な接続状態を確保する。【解決手段】コネクタハウジング５の接続部７に光ファイバコード１１のファイバ心線１３を接続する一方、コネクタハウジング５のコード圧着固定部９に光ファイバコード１１のコード補強部材１５をコード固定部材２３を構成する一方の圧着嵌合部２５によって圧着固定する。また、コード固定部材２３の他方の抜け止め嵌合部２７によって光ファイバコード１１のコード外被２１の上から喰い込み勝手に嵌合固着し、軸方向の動きを確実に拘束する。【選択図】図１
2007187724.tif 000002
【特許請求の範囲】
【請求項１】
先端に接続部を有し、後端にコード圧着固定部が設けられたコネクタハウジングと、前記コネクタハウジングの接続部に接続されたファイバ心線と前記コード圧着固定部の外周に圧着したコード補強部材とそのコード補強部材を被覆する外側のコード外被とを有する光ファイバコードと、前記コード補強部材の上からコード圧着固定部に嵌合し加締めにより強度部材をコード圧着固定部の外周に強く圧着させる圧着嵌合部及び前記コード外被の上から喰い込み軸方向への動きを拘束する抜け止め嵌合部とを備えたコード固定部材とからなることを特徴とするコネクタ付光ファイバコード。
【請求項２】
前記コード固定部材の抜け止め嵌合部は、後端から内側へ向かって折り返された複数のストッパ爪部を有していることを特徴とする請求項１記載のコネクタ付光ファイバコード。
【請求項３】
前記コード固定部材の抜け止め嵌合部は、抜け止め嵌合部の後端外周に設けられた複数の切れ込み溝に沿って内側へ向け切り起こされた複数の切り起こし突起爪を有していることを特徴とする請求項１記載のコネクタ付光ファイバコード。
【請求項４】
前記コード固定部材の抜け止め嵌合部は、抜け止め嵌合部の内周面に沿って設けられた複数の突起爪を有していることを特徴とする請求項１記載のコネクタ付光ファイバコード。
【発明の詳細な説明】
【技術分野】
【０００１】
本発明はコネクタ付光ファイバコードに関する。
【背景技術】
【０００２】
コネクタ付光ファイバコードは、光ファイバコードの先端にコネクタが一体に接続された構造となっている。光ファイバコードとコネクタの接続手段としては各種のものが提案されており、その代表例として、例えば、圧着スリーブを用いる手段が知られている。
【０００３】
圧着スリーブを用いる手段の概要は、コードを補強する繊維状の補強部材が露出された光ファイバコードの端部に圧着させる圧着部と、前記補強部材をコネクタハウジングの補強部材固定部の外周面に誘導接触させるための支持部材と、その支持部材によってコネクタハウジングの補強部材固定部の外周面に前記光ファイバコードの強度部材を強く圧着させる圧着スリーブとを有する構造となっている。
【特許文献１】特開平１１−２３１１７１号公報
【発明の開示】
【発明が解決しようとする課題】
【０００４】
光ファイバコードは、ファイバ心線を取り囲む補強部材が圧着スリーブによってコネクタハウジングの補強部材固定部の外周に強く圧着させることで、繊維状の補強部材の端末処理と併せてコネクタハウジングの接続が図られている。
【０００５】
光ファイバコードの抜け方向への阻止は、前記補強部材を圧着する圧着スリーブによって決定されるため、その圧着管理を怠ると抜け方向への強い力が作用した時に、中心のファイバ心線に軸方向の無理な力が働き、光の搬送に悪影響を与える不具合を招くようになる。
【０００６】
また、部品点数も圧着スリーブの外に、圧着部及び支持部材を必要とする等、コストの面、組付性の面において望ましくなかった。
【０００７】
そこで、本発明にあっては、コネクタと光ファイバコードとの確実な接続状態が得られると共に部品点数も少なくて済むコネクタ付光ファイバコードを提供することを特徴とする。
【課題を解決するための手段】
【０００８】
前記目的を達成するために、本発明にあっては、先端に接続部を有し、後端にコード圧着固定部が設けられたコネクタハウジングと、前記コネクタハウジングの接続部に接続されたファイバ心線と前記コード圧着固定部の外周に圧着したコード補強部材とそのコード補強部材を被覆する外側のコード外被とを有する光ファイバコードと、前記コード補強部材の上からコード圧着固定部に嵌合し加締めにより強度部材をコード圧着固定部の外周に強く圧着させる圧着嵌合部及び前記コード外被の上から喰い込み軸方向への動きを拘束する抜け止め嵌合部とを備えたコード固定部材とからなることを特徴とする。
【発明の効果】
【０００９】
本発明のコネクタ付光ファイバコードによれば、コード固定部材の圧着嵌合部及び抜け止め嵌合部の内、一方の圧着嵌合部によって光ファイバコードのコード補強部材をコネクタハウジングのコード圧着固定部の外周に強く圧着させることができる。同時に光ファイバコードのコード外被の上から喰い込むもう一方の抜け止め嵌合部と相俟って、光ファイバコードに強い軸方向の力が作用しても接続状態が確保され、中心のファイバ心線に悪影響を与えることなく確実な接続状態を保持することができる。
【００１０】
また、部品点数もコード固定部材の一点で済むようになる。
【発明を実施するための最良の形態】
【００１１】
本発明によれば、前記コード固定部材の抜け止め嵌合部に、後端から内側へ向けて折り返した複数のストッパ爪部を設けるようにする。あるいは、内側へ向かって切り起こした複数の切り起こし突起爪を設けるようにする。あるいは、内周面に沿って複数の突起爪を設けることで、コネクタハウジングに対する光ファイバコードの軸方向の動きを確実に拘束するようにする。
【実施例】
【００１２】
以下、図１乃至図６の図面を参照しながら本発明の実施形態について具体的に説明する。
【００１３】
図１は本発明にかかるコネクタ付光ファイバコードの分解斜視図を示している。
【００１４】
コネクタ付光ファイバコード１のコネクタ３は、コネクタハウジング５の先端に接続部７を有し、後端にコード圧着固定部９が設けられた構造となっている。接続部７は、前記したコード圧着固定部９となる後部から挿入された光ファイバコード１１の裸のファイバ心線１３が接着剤により固着されたフェルールとなっていて、コネクタハウジング５の内部に組込まれた構造となっている。
【００１５】
コード圧着固定部９はコネクタハウジング５から後部（図１右側）へ一体に延長され、その外周面に光ファイバコード１１のコード補強部材１５が圧着している。この場合、コード圧着固定部９の外周面に抜け方向の抵抗となる凹凸部９ａと円錐ガイド面９ｂを設けることが望ましい。
【００１６】
一方、光ファイバコード１１は中心に前記した裸のファイバ心線１３を有し、その外周は異なる絶縁材質で作られた一次被覆１７及び二次被覆１９となっているが一次被覆１７及び二次被覆１９はなくてもよい。二次被覆１９の外周は前記したコード補強部材１５、さらにその外周は一番外側となるコード外被２１となっている。コード補強部材１５は引張り強度に強いアラミド繊維でできていて、前記したコード外被２１の端部を工具を使って取除くことでコード補強部材１５が露出するようになっている。露出したコード補強部材１５は外側へ拡げておくことで、コード圧着固定部９となる後部からファイバ心線１３を挿入する時に、円錐ガイド面９ｂに案内されて外周面となる凹凸面９ａに沿って接触し合うことが可能となっている。
【００１７】
コード圧着固定部９と接触し合うコード補強部材１５はコード固定部材２３の圧着嵌合部２５の加締めによって強く圧着している。
【００１８】
コード固定部材２３は、前記した圧着嵌合部２５の外に抜け止め嵌合部２７を有する金属製のスリーブ形状となっている。
【００１９】
抜け止め嵌合部２７には、複数の切り起こし突起爪２９が作られている。
【００２０】
切り起こし突起爪２９は、図２に示すようにコ字状に切れ目３１を入れ、切れ目３１の入ってない一辺を支点として内側へ向け押圧（図３Ｆ）して使用する。
【００２１】
したがって、図２に示すように光ファイバコード１１への挿入作業時は何等支障なく行なえると共に、挿入セット完了後、外周から力（図３Ｆ）を加えることで、切り起こし突起爪２９がコード外被２１に喰い込み抜け出る軸方向への動きを確実に阻止することが可能となっている。
【００２２】
この場合、必ずしも切り起こし突起爪２９でなくてもよい。例えば図４に示すように、後端から内側へ向かって折り返した複数のストッパ爪部３３を設けるようにしてもよい。あるいは、図５に示すように挿入方向へは円弧面によって容易で、抜け出る方向（矢印）には規制ストッパとして作用するストッパ面３５を備えた複数の突起爪３７を直接設ける手段とすることも可能である。
【００２３】
なお、図１において、３９はコネクタハウジング５の後方を覆うカバースリーブを示しており、図６に示すように、コネクタハウジング５の後部がカバーされ外観品質が確保されるようになっている。この場合、カバースリーブ３９は、熱によって収縮する熱収縮スリーブを用いる手段であってもよい。
【００２４】
このように構成されたコネクタ付光ファイバコード１によれば、図１に示すように光ファイバコード１１に予めコード固定部材２３とそのコード固定部材２３を被覆するカバースリーブ３９を挿通しておき、コード外被２１の端部を剥ぎ取りコード補強部材１５に続いて二次被覆１９、一次被覆１７の順に剥ぎ取りファイバ心線１３を露出させる。次に、露出させたファイバ心線１３をコネクタハウジング５の後端となるコード圧着固定部９から挿入していく。この時、コード補強部材１５はコード圧着固定部９の外周面と接触し合うと共に、先端の接続部７に届いたファイバ心線１３を接着剤により固定支持する。
【００２５】
次に、予め挿入していたコード固定部材２３の圧着嵌合部２５をコード圧着固定部９に対してコード補強部材１５の上から嵌挿していく。嵌挿完了後、圧着嵌合部２５を工具によって外から力Ｆを加え加締めることで、コード補強部材１５の端末処理と同時に、コード圧着固定部９の外周面に強く圧着される。続いて、切り起こし突起爪２９を工具によって外から力Ｆを加えることで、切り起こし突起爪２９はコード外被２１に喰い込み、軸方向への動きが拘束された固定状態が得られる。この結果、圧着嵌合部２５によるコード補強部材１５の圧着と切り起こし突起爪２９によるコード外被２１への喰い込み作用と相俟って光ファイバコード１１に抜け方向への強い力が働いても、軸方向の動きが阻止されファイバ心線１３に悪影響を与えるのを確実に回避することができる。しかも、部品点数はコード固定部材２３の一点で済むようになる。
【図面の簡単な説明】
【００２６】
【図１】本発明にかかるコネクタ付光ファイバコードの分解斜視図。
【図２】切り起こし突起爪の切り込みを入れたコード固定部材の断面図。
【図３】切り起こし突起爪を切り起こした状態を示すコード固定部材の断面図。
【図４】切り起こし突起爪にかえて別の実施形態となるストッパ爪部を設けた図２と同様のコード固定部材の断面図。
【図５】切り起こし突起爪にかえて別の実施形態となる突起爪を設けた図２と同様のコード固定部材の断面図。
【図６】コネクタ付光ファイバコード斜視図。
【符号の説明】
【００２７】
３    コネクタ
５    ハウジング
７    接続部
９    コード圧着固定部
１１    光ファイバコード
１３    ファイバ心線
１５    コード補強部材
２１    コード外被
２３    コード固定部材
２５    圧着嵌合部
２７    抜け止め嵌合部
２９    切り起こし突起爪
３３    ストッパ爪部
３７    突起爪
【図１】
2007187724.tif 000003
【図２】
2007187724.tif 000004
【図３】
2007187724.tif 000005
【図４】
2007187724.tif 000006
【図５】
2007187724.tif 000007
【図６】
2007187724.tif 000008